(57)【要約】沸騰水形原子炉設備のチャネルボックス（４）を廃棄処理するにあたり、チャネルボックス（４）を支持構造物（１０）で強化する。この結果、チャネルボックス（４）を、他の廃棄処理すべき部品、特に炉心組込み物の移送容器として利用できる。チャネルボックスに取手を取り付けたり、ボックスに支持構造物を挿入したり、ボックスの片側端面に支持構造物に配置され、底として使用可能な基板を設けたりできる。本発明は、廃棄するための方法と装置とに関する。
2005534003.tif 000002
【特許請求の範囲】
【請求項１】
沸騰水形原子炉設備のチャネルボックス（４）を廃棄処理する方法において、チャネルボックス（４）を支持構造物（１０）で強化することを特徴とする方法。
【請求項２】
チャネルボックス（４）に取っ手（１８）を設けることを特徴とする請求項１記載の方法。
【請求項３】
支持構造物（１０）を予め組み立て、チャネルボックス（４）に挿入することを特徴とする請求項１又は２記載の方法。
【請求項４】
チャネルボックス（４）の片側端面を閉鎖することを特徴とする請求項１から３の１つに記載の方法。
【請求項５】
チャネルボックス（４）の片側端面を、支持構造物（１０）に配置し、底として用いる基板（１２）によって閉鎖することを特徴とする請求項４記載の方法。
【請求項６】
沸騰水形原子炉設備の放射能汚染部品、特に炉心組込み部品を廃棄処理する方法において、請求項１から５の１つに記載の方法で強化したチャネルボックス（４）を、移送容器として利用することを特徴とする方法。
【請求項７】
廃棄処理すべき制御棒から制御棒ブレード（２４）を分離され、強化済みチャネルボックス（４）に挿入することを特徴とする請求項６記載の方法。
【請求項８】
支持構造物が、強化済みチャネルボックス（４０）を内部仕切り壁（１４）で少なくとも２つの部分領域（４２、４４）に仕切り、前記仕切り壁（１４）が、ブレードの各部分領域（４２、４４）への挿入時にブレード挿入端を当接支持することを特徴とする請求項７記載の方法。
【請求項９】
沸騰水形原子炉設備の放射能汚染部品、特に炉心組込み部品を廃棄処理するための装置において、支持構造物（１０）で強化されて移送容器として使用されるチャネルボックス（４０）を備えることを特徴とする装置。
【請求項１０】
支持構造物（１０）が取っ手（１８）を備えることを特徴とする請求項９記載の装置。
【請求項１１】
支持構造物（１０）が、チャネルボックス（４）の片側端面を閉鎖する基板（１２）を備えることを特徴とする請求項９又は１０記載の装置。
【請求項１２】
支持構造物（１０）の基板（１２）上に、該基板に対し垂直に配置された仕切り板（１４）が設けられ、該仕切り板（１４）が、強化済みチャネルボックス（４０）を少なくとも２つの部分領域（４２、４４）に仕切ることを特徴とする請求項１１記載の装置。
【発明の詳細な説明】
【技術分野】
【０００１】
本発明はチャネルボックスを廃棄処理する方法に関する。更に本発明は、沸騰水形原子炉設備の放射能汚染部品を廃棄処理する方法と装置に関する。
【０００２】
一次冷却回路の冷却水と接触する原子炉設備の組込み部品は放射能でかなり汚染され、それが炉心に組み込まれていたときは、更に活性化されている。特に炉心組込み部品は、運転時に受ける著しい腐食のため、その部品を取り外して、新しい部品と交換する必要がある。取り外した部品は、廃棄処理するために取扱い可能にすべく、厳しい予防処置基準を守って廃棄処理せねばならない。沸騰水形原子炉の場合、例えば図１ａおよび図１ｂに平面図および側面図で示すような使用済み燃料集合体のチャネルボックスもそのような腐食部品であり、チャネルボックスは高い放射能負荷により脆くなっている。チャネルボックス４の壁２は、断面正方形の中空室６を包囲している。チャネルボックス４はその両側端面が開き、片側端面だけに互いに対向して位置する角に、各々支材８ａを備えている。これら支材８ａは、チャネルボックス４を図示しない燃料集合体頭部に固定すべく用いられる。更に、チャネルボックス４はその下部範囲に、別の構成要素、例えば例示したチャネルボックス形式特有の突起８ｂと外側プレート８ｃを備えている。かかるチャネルボックスを廃棄処理する際、通常該チャネルボックスは圧搾され、続いて小片に破砕される。しかし、そのような処置は経費がかかる。
【０００３】
本発明の課題は、沸騰水形原子炉設備のチャネルボックスの、従来の処置に比べ単純化した廃棄処理方法を提供することにある。更に本発明の課題は、沸騰水形原子炉設備の放射能汚染部品を廃棄処理する方法と該方法の実施のための装置を提供することにある。
【０００４】
第１の課題は、本発明に基づき、請求項１に記載の特徴を持つ方法により解決される。その特徴に基づき、チャネルボックスは支持構造物で強化される。換言すればチャネルボックスは破砕されず、チャネルボックスに、これを支えて強度と安定性を高める１つ或いは複数の構造部品が設けられる。このためチャネルボックスの経費のかかる圧搾と破砕が不要となり、その廃棄処理を単純化できる。このように廃棄処理に対し前処理或いは（廃棄処理）調整したチャネルボックスは、別の廃棄処理および調整すべき部品、特に炉心組込み物或いは小容積の所謂炉心スクラップに対する移送容器としても利用できる。
【０００５】
本発明方法の有利な実施態様では、チャネルボックスに取手を設ける。この結果チャネルボックスを、燃料集合体を取り扱うために用意したものと同じ装置で、同様に扱える。
【０００６】
本発明に基づく方法の他の有利な実施態様では、支持構造物を予め組み立て、チャネルボックスに挿入する。この結果、支持構造物を設置する際に必要な、チャネルボックスにおける作業時間を著しく短縮できる。
【０００７】
チャネルボックスの片側端面を支持構造物に配置し、底として働く基板で閉鎖するとよい。かくしてチャネルボックスを、小容積の炉心スクラップの収容容器として使える。
【０００８】
２番目に述べた廃棄処理方法に関し、本発明の課題は、請求項６に記載の特徴により解決される。強化したチャネルボックスを、別の放射能汚染部品に対する移送容器として利用するので、チャネルボックスを、炉心スクラップと一緒に特に安価に廃棄処理できる。
【０００９】
本発明による方法の有利な実施態様では、廃棄処理すべき制御棒から制御棒ブレードを分離し、強化済みチャネルボックスに挿入する。制御棒のブレードの縦寸法と横寸法がチャネルボックスの縦寸法および横寸法と略一致するので、ブレードを非常に場所を節約してチャネルボックス内に収納できる。かくして、チャネルボックスに３本の燃料棒のブレードを収納できる。
【００１０】
特に支持構造物が、チャネルボックスを内部仕切り壁で少なくとも２つの部分領域に仕切り、該仕切り壁を、各部分領域へのブレードの挿入時に支持する。これによって、チャネルボックスの充填が容易になる。
【００１１】
装置に関する本発明の課題は、本発明に基づいて、請求項９に記載の特徴によって解決される。本発明に基づく装置の利点並びに請求項９に従属する請求項の利点は、それらの請求項に対応した本発明に基づく方法の従属請求項と同じように生ずる。
【００１２】
以下図示の実施例を参照し、本発明を詳細に説明する。
【００１３】
図２ａ、ｂにおいて、支持構造物１０は基板１２を備える。該基板１２は、その平坦面に対し垂直に延びる仕切り板１４を支え、特にこの仕切り板１４に溶接されている。仕切り板１４はチャネルボックス４の長さ寸法より大きな長さ寸法を有し、基板１２と反対側の自由端に、取手１８を形成すべく開口１６を備えている。仕切り板１４を横切り、且つ基板１２に対し垂直に、基板１２上にスペーサ板２０を固定している。このスペーサ板２０は、その範囲にスリット２２を備えた仕切り板１４を貫通している。
【００１４】
図３ａ、ｂは、支持構造物１０で強化されたチャネルボックス４０を示す。支持構造物１０は、底側から空のチャネルボックス４内に、基板１２が空のチャネルボックス４を閉鎖して底を形成するまで、挿入されている。その場合、取っ手１８はチャネルボックス４から突出している。更に図から、チャネルボックス４が仕切り板１４によって２つの部分領域４２、４４に仕切られていることが解る。
【００１５】
図４ａ、ｂでは、支持構造物１０で強化されたチャネルボックス４０内に、廃棄処理すべき制御棒から先行する作業過程で切り離した制御棒ブレード２４を挿入している。また図４ｂに、先行する破砕で半分になった制御棒取っ手の半部２６を示す。
【００１６】
スペーサ板２０は制御棒ブレード２４の挿入端を当接支持すべく用いられ、この結果制御棒ブレードを収容するために利用する空間は、チャネルボックス４の下部範囲に存在する邪魔な組込み物が無く空いている。同時に制御棒ブレード２４の収容部下側に、小容積の炉心スクラップを収容するための４つの仕切り室４６が存在している。
【図面の簡単な説明】
【００１７】
【図１ａ】チャネルボックスの平面図。
【図１ｂ】チャネルボックスの側面図。
【図２ａ】本発明に基づく支持構造物の平面図。
【図２ｂ】本発明に基づく支持構造物の側面図。
【図３ａ】支持構造物で強化されたチャネルボックスの平面図。
【図３ｂ】支持構造物で強化されたチャネルボックスの側面図。
【図４ａ】制御棒のブレードで充填されたチャネルボックスの平面図。
【図４ｂ】制御棒のブレードで充填されたチャネルボックスの側面図。
【符号の説明】
【００１８】
２  壁、４、４０  チャネルボックス、６  中空空間、８ａ  支材、８ｂ  突起、８ｃ  板、１０  支持構造物、１２  基板、１４  仕切り板、１６  開口、１８  取っ手、２０  スペーサ板、２２  スリット、２４  制御棒ブレード、２６  取手半部、４２、４４  部分領域、４６  部分室
2005534003.tif 000003
2005534003.tif 000004
2005534003.tif 000005
2005534003.tif 000006
【国際調査報告】
2005534003.tif 000007
2005534003.tif 000008
2005534003.tif 000009
2005534003.tif 000010